(57)【要約】【課題】形成した重なり部に袋状部が生じないように構成したベッド用シーツ、又はクリーニング時には重なり部を解除して展開状態にできるとともに、必要時には簡単に重なり部を形成できるベッド用シーツを提供する。【解決手段】展開状態のシーツの長さ方向一方側９を裏面側に折り曲げて表側シーツ部１１及び裏側シーツ部１３が重なった長方形状の重なり部１５を形成する。ベッド用シーツ１の重なり部１５では、ホック２１が、重なり部１５を形成している裏側シーツ部１３の長さ方向他方側縁部３１の幅方向両側位置で表側シーツ部１１及び裏側シーツ部１３を接続し、裏側シーツ部１３の長さ方向他方側縁部３１の中間個所位置で、マットレスの長さ方向一方側を重なり部１５に差し込んだ状態とするための差し込み口３３を形成するようにしている。【選択図】図２
0003224467.tif 000002
【実用新案登録請求の範囲】
【請求項１】
ベッドのマットレスに被せるベッド用シーツであって、
矩形状のシーツの長さ方向一方側を内側に折り曲げて、表側シーツ部と裏側シーツ部が重なった長方形状の重なり部を形成することにより構成され、
前記重なり部では、長さ方向他方側端部の幅方向中間個所が、マットレスの長さ方向一方側を前記重なり部の間に差し込んだ状態とするための差し込み口を形成するように、前記裏側シーツ部の長さ方向他方側縁部の幅方向両側位置で前記表側シーツ部と前記裏側シーツ部が接続解除可能な差し込み口用接続部材で接続されている、ことを特徴とするベッド用シーツ。
【請求項２】
前記重なり部の幅方向両側縁部では、前記表側シーツ部と前記裏側シーツ部が接続解除可能な接合用接続部材で接続されている、ことを特徴とする請求項１記載のベッド用シーツ。
【請求項３】
前記差し込み口用接続部材はスナップ係合式ホックである、ことを特徴とする請求項１又は２記載のベッド用シーツ。
【請求項４】
前記差し込み口用接続部材及び前記接合用接続部材はスナップ係合式ホックである、ことを特徴とする請求項２記載のベッド用シーツ。
【考案の詳細な説明】
【技術分野】
【０００１】
本考案はベッドのマットレスに被せるベッド用シーツに関する。
【背景技術】
【０００２】
ホテルなどでベッドを整えるベッドメーキングでは、マットレスにベッド用シーツをしわが生じないように迅速に被せることが要求される。このような要求に対応するベッド用シーツとしては、例えば特許文献１に示すように、シーツの長さ方向一方側を折り曲げて表側シーツ部と裏側シーツ部が重なり合う重なり部を形成し、重なり部の長さ方向他方側縁部の幅方向両端部からそれぞれ、幅方向中央側に傾斜しながら重なり部の折り曲げ部まで延びるように縫い付けを行い、重なり部に台形状のマットレス差し込み部を形成したものが知られている。このようなベッド用シーツを用いれば、シーツのマットレス差し込み部をマットレスの長さ方向一端部に被せた状態でシーツを引張りながらマットレスに装着できるので、全体的にはしわが寄らないようにシーツをマットレスに簡単に被せることができる。
【先行技術文献】
【特許文献】
【０００３】
【特許文献１】実用新案登録第３１９７２１６号公報
【考案の概要】
【考案が解決しようとする課題】
【０００４】
ところで、特許文献１に記載されたベッド用シーツでは、重なり部の長さ方向他方側縁部から折り曲げ部まで延びるように縫い付けを行ってマットレス差し込み部を形成している。したがって、マットレス差し込み部及び三角形状の遊び部は袋状部となり、ベッドメーキング時やクリーニングの仕上げ時に縫い付け部周辺にしわが生じやすい
【０００５】
そこで本考案は、形成した重なり部に袋状部が生じないように構成したベッド用シーツ、又はクリーニング時には重なり部を解除して展開状態にできるとともに、必要時には簡単に重なり部を形成できるベッド用シーツの提供を目的とする。
【課題を解決するための手段】
【０００６】
この目的を達成するための本発明のベッド用シーツは、ベッドのマットレスに被せるベッド用シーツであって、矩形状のシーツの長さ方向一方側（マットレスの長さ方向又はマットレスの頭部から脚部の方向に対応する方向をシーツの長さ方向とする）を内側に折り曲げて、表側シーツ部と裏側シーツ部が重なった長方形状の重なり部を形成することにより構成され、前記重なり部では、長さ方向他方側端部の幅方向中間個所が、マットレスの長さ方向一方側を前記重なり部に差し込んだ状態とするための差し込み口を形成するように、前記裏側シーツ部の長さ方向他方側縁部の幅方向両側位置で前記表側シーツ部と前記裏側シーツ部が接続解除可能な差し込み口用接続部材で接続されているものである。差し込み口用接続部材は接続及び接続解除を繰り返すことができるように構成されている。
【０００７】
マットレスの長さ方向一方側を差し込む部分は非袋状なので、シーツの重なり部をマットレスの長さ方向一方側に装着するときに、引き連れてしわが発生しやすい、といったことはないし、クリーニング時にはシーツを展開状態とすることができるので、アイロン掛け時に引き連れてしわが発生しやすい、といったこともない。
【０００８】
重なり部の幅方向両側縁部では、表側シーツ部と裏側シーツ部が接続解除可能な接合用接続部材で接続されていることが好ましい。接合用接続部材は接続及び接続解除を繰り返すことができるように構成される。差し込み口用接続部材又は接合用接続部材はスナップ係合式ホックとすることができる。また、このホックは樹脂製又は可撓性を有する樹脂製とすることができる。
【考案の効果】
【０００９】
本発明のベッド用シーツを用いれば、簡単にしわのない状態でシーツをマットレスに装着できる。
【図面の簡単な説明】
【００１０】
【図１】本考案に係るベッド用シーツを展開した状態の裏面図である。
【図２】重なり部を形成してベッド用シーツを構成した場合の裏面図である。
【図３】ベッド用シーツの重なり部をマットレスのヘッドボード側に被せた状態を示す図である。
【図４】ベッド用シーツの重なり部をマットレスのヘッドボード側に被せる方法を説明する図であり、重なり部の差し込み口個所をマットレスの頭部に被せた状態を示す図である。
【図５】ベッド用シーツの重なり部をマットレスのヘッドボード側に被せる方法を説明する図であり、重なり部を全体的にマットレスの頭部に被せた状態を示す図である。
【図６】ベッド用シーツのマットレスへの装着が完了した状態を示す図である。
【考案を実施するための形態】
【００１１】
まず、図１及び図２を参照してベッド用シーツの構造を説明する。
【００１２】
ベッド用シーツ１は、素材がポリエステル３０％・綿７０％、ポリエステル２０％・綿８０％、ポリエステル１５％・綿８５％又は綿１００％であり、展開状態では、長さＬがほぼ２９０ｃｍ及び幅Ｗがほぼ２２８ｃｍの長方形状のものであって、長さ方向一方側縁部（頭部側縁部）３からほぼ６０ｃｍ離れた仮想線で表示されている仮想ライン５を折り曲げ部７とし、長さ方向一方側９を裏面側（内側）に折り曲げて表側シーツ部１１及び裏側シーツ部１３が重なった長方形状の重なり部１５を形成することにより構成されている。折り曲げ部７の仮想ライン５を認識しやすくするために、仮想ライン５の両側を色付きの糸で３ｃｍ〜５ｃｍ程度縫っておいてもよい（符号１６参照）。なお、ベッド用シーツ１の長さ方向一方側縁部３は補強のために短く折り返されて縫い付けられている（符号１８参照）。また、このベッド用シーツ１の長さＬ及び幅Ｗは、マットレス幅１３０ｃｍ〜１４５ｃｍに対応するものであり、対象とするマットレスの幅が８３ｃｍ〜９１ｃｍであれば、長さＬがほぼ２８０ｃｍ及び幅Ｗがほぼ１６０ｃｍ、対象とするマットレスの幅が９５ｃｍ〜１０５ｃｍであれば、長さＬがほぼ２９０ｃｍ及び幅Ｗがほぼ１８３ｃｍ、対象とするマットレスの幅が１１５ｃｍ〜１２５ｃｍであれば、長さＬがほぼ２９０ｃｍ及び幅Ｗがほぼ２０３ｃｍ、対象とするマットレスの幅が１５５ｃｍ〜１６５ｃｍであれば、長さＬがほぼ２９０ｃｍ及び幅Ｗがほぼ２４０ｃｍ、対象とするマットレスの幅が１７５ｃｍ〜１８５ｃｍであれば、長さＬがほぼ２９０ｃｍ及び幅Ｗがほぼ２７０ｃｍとなる。
【００１３】
ベッド用シーツ１の重なり部１５には、重なり部１５を形成するときに接続されたスナップ係合式ホックが、幅方向両側それぞれに３組ずつ配置されている。それぞれのホック１７、１９、２１は、鉤２３を有する鉤部２５及び鉤２３がスナップ的に嵌り込む鉤穴２７を有する鉤受け部２９を備えていて、鉤部２５は裏側シーツ部１３の内面（展開状態では長さ方向一方側９の裏面）に縫い付けられて取り付けられ、鉤受け部２９は表側シーツ部１１の裏面に縫い付けられて取り付けられている。ホック１７及び１９はベッド用シーツ１の側縁部の耳上に取り付けられ、ホック２１の鉤部２５はベッド用シーツ１（展開状態）の長さ方向一方側縁部３の折り返し補強部に取り付けられているが（ホック１７の鉤部２５は耳及び折り返し補強部に取り付けられている）、ホック２１の鉤受け部２９は表側シーツ部１１の本体部に取り付けられている。したがって、ホック２１の鉤受け部２９は、表側シーツ部１１の表面に補強用の接着芯３０を加熱して固定しておき、表側シーツ部１１及び接着芯３０に縫い付けることにより取り付け強度が確保されている。
【００１４】
ホック１７、１９は、重なり部１５の幅方向両側縁部の長さ方向両端部位置で表側シーツ部１１及び裏側シーツ部１３を接続し（ホック１９の接続には仮想ライン５の両側を縫っている色付きの糸１６を目印とすることができる）、ホック２１は、重なり部１５を形成している裏側シーツ部１３の長さ方向他方側縁部３１の幅方向両側位置（ベッド用シーツ１の両側縁部からほぼ２４ｃｍ又は２０ｃｍ〜３０ｃｍ離れた個所）で表側シーツ部１１及び裏側シーツ部１３を接続し、裏側シーツ部１３の長さ方向他方側縁部３１の中間個所位置（ホック２１とホック２１の間）がマットレス（シングルサイズ、幅ほぼ１３０ｃｍ及び長さほぼ１９６ｃｍ）の長さ方向一方側を重なり部１５に差し込むための差し込み口３３を形成するようにしている。ホック２１とホック２１との間隔はほぼ１８０ｃｍであり、マットレスの幅にマットレスの高さ及び予備幅を加えた寸法と一致又はほぼ一致するようになっている。すなわち、ホック２１とホック２１との間隔は、マットレスの幅方向中心から幅方向一方側の幅（６５ｃｍ）＋幅方向一方側のマットレスの高さ（２０ｃｍ）＋予備幅（５ｃｍ）＋マットレスの幅方向中心から幅方向他方側の幅（６５ｃｍ）＋幅方向他方側のマットレスの高さ（２０ｃｍ）＋予備幅（５ｃｍ）にほぼ等しいように設定されている。
【００１５】
次に、図３乃至図６を参照してベッド用シーツ１のマットレスへの装着方法を説明する。
【００１６】
まず、ヘッドボード３５を有する寝台３７上に載置されているマットレス（シングルサイズ）３９をヘッドボード３５と反対側に多少ずらし（図３の矢印Ａ参照）、ヘッドボード３５とマットレス３９の頭部との間に隙間を生じさせ、マットレス３９の頭部側にベッド用シーツ１の重なり部１５を被せる。マットレス３９の頭部側にベッド用シーツ１の重なり部１５を被せるには、重なり部１５の表側シーツ部１１がマットレス３９の表面４１に重なり、裏側シーツ部１３がマットレス３９の裏面４３に重なることとなるように、重なり部１５の差し込み口３３をマットレス３９の頭部に位置させ、ベッド用シーツ１の重なり部１５の長さ方向他方側をマットレス３９の頭部に被せた状態とする（図４）。そして、ベッド用シーツ１をヘッドボード３５と反対側に引っ張るなどし（図５の矢印Ｂ参照）、マットレス３９の頭部側をベッド用シーツ１の重なり部１５の折り返し部７まで差し込まれた状態としてベッド用シーツ１の重なり部１５をマットレス３９の頭部側に被せる（図５）。ベッド用シーツ１の重なり部１５をマットレス３９の頭部側に被せたら、ずらしていたマットレス３９をヘッドボード３５側に移動させる（図３の矢印Ｃ参照）。
【００１７】
最後に、図６に示すように、マットレス３９の左右両側縁及び脚部側端縁よりも外側に延びているベッド用シーツ１の部分を、マットレス３９の周面に沿わせてからマットレス３９の裏面４３側に折り込んで（図３及び図６の折り込み矢印参照）ベッド用シーツ１のマットレス３９への装着を完了する。ここでは、例えば、ホック２１部分がそれぞれ、マットレス３９の裏面４３の両側縁部に引っ掛かるようにしておく。
【符号の説明】
【００１８】
１                  ベッド用シーツ
１１                表側シーツ部
１３                裏側シーツ部
１５                重なり部
１７、１９          ホック（接合用接続部材）
２１                ホック（差し込み口用接続部材）
３３                差し込み口
３７                寝台
３９                マットレス
【図１】
0003224467.tif 000003
【図２】
0003224467.tif 000004
【図３】
0003224467.tif 000005
【図４】
0003224467.tif 000006
【図５】
0003224467.tif 000007
【図６】
0003224467.tif 000008